(57)【要約】【課題】竪樋が気温の変化等により上下に伸縮した場合でも、竪樋を建物の外壁に取り付けた状態を維持することができる取付具を提案すること。【解決手段】取付具１は、上下に並べて配置される竪樋３同士を連結する竪樋継手２と、建物の外壁５に固着され、竪樋継手２が取り付けられる固着体４と、を有する。固着体４は、竪樋継手２に連結された竪樋３の長手方向に沿って延設される差込片１５と、外壁５に固定される固着部１３とを有する。竪樋継手２は、差込片１５を上下方向に差込自在とする被差込孔２５と、被差込孔２５に設けられた係止部２４とを有する。差込片１５は、被差込孔２５に差し込まれた状態で係止部２４を係止する被係止部１９を上下方向に複数有する。【選択図】図１
2012197639.tif 000002
【特許請求の範囲】
【請求項１】
上下に並べて配置される竪樋同士を連結する竪樋継手と、建物の外壁に固着され、前記竪樋継手が取り付けられる固着体と、を有する取付具において、
前記固着体は、前記竪樋継手に連結された前記竪樋の長手方向に沿って延設される差込片と、前記外壁に固定される固着部とを有し、
前記竪樋継手は、前記差込片を上下方向に差込自在とする被差込孔と、前記被差込孔に設けられた係止部とを有し、
前記差込片は、前記被差込孔に差し込まれた状態で前記係止部を係止する被係止部を上下方向に複数有することを特徴とする取付具。
【発明の詳細な説明】
【技術分野】
【０００１】
本発明は竪樋を建物の外壁に取り付けるために用いられる取付具に関する。
【背景技術】
【０００２】
従来から、図４に示すような、竪樋３を建物の外壁に取り付けるために用いられる取付具６が提案されている（特許文献１参照）。
【０００３】
この取付具６は、上下に並べて配置される竪樋３の端部間を連結する竪樋継手７と、建物の外壁に取り付けられる固着体８とを有する。固着体８には、屋外側（前側）に嵌合連結部８０が設けてあり、竪樋継手７には、建物側（後側）に取り付け用突起部７０が設けてある。
【０００４】
この嵌合連結部８０に取り付け用突起部７０が嵌合されることで、竪樋３を連結した竪樋継手７が、外壁に取り付けられた固着体８に支持される。
【先行技術文献】
【特許文献】
【０００５】
【特許文献１】特開２０００―２４０２３７号公報
【発明の概要】
【発明が解決しようとする課題】
【０００６】
しかし、上述した取付具６では、竪樋継手７が固着体８によって左右両側から挟みこまれて支持されているだけであるため、竪樋３が気温の変化等により伸縮して竪樋継手７の上下位置が変わった場合に、竪樋継手７が固着体８から外れてしまうおそれがある。このように、竪樋継手７が固着体８から外れてしまっては、竪樋３を建物の外壁に取り付けた状態を維持することができない。
【０００７】
そこで、上記事情を鑑みて、本発明は、竪樋が気温の変化等により上下に伸縮した場合でも、竪樋を建物の外壁に取り付けた状態を維持することができる取付具を提案することを課題とする。
【課題を解決するための手段】
【０００８】
上記課題を解決するための本発明の取付具は、上下に並べて配置される竪樋同士を連結する竪樋継手と、建物の外壁に固着され、前記竪樋継手が取り付けられる固着体と、を有する取付具において、前記固着体は、前記竪樋継手に連結された前記竪樋の長手方向に沿って延設される差込片と、前記外壁に固定される固着部とを有し、前記竪樋継手は、前記差込片を上下方向に差込自在とする被差込孔と、前記被差込孔に設けられた係止部とを有し、前記差込片は、前記被差込孔に差し込まれた状態で前記係止部を係止する被係止部を上下方向に複数有することを特徴とする。
【発明の効果】
【０００９】
本発明の取付具は、竪樋が気温の変化等により上下に伸縮した場合でも、竪樋を建物の外壁に取り付けた状態を維持することができる。
【図面の簡単な説明】
【００１０】
【図１】実施形態の取付具を用いて竪樋を施工した状態を示す正面図である。
【図２】同上の取付具の竪樋継手を示し、（ａ）は正面図であり、（ｂ）は建物側から視た側面図であり、（ｃ）は平面図である。
【図３】同上の取付具の固着体を示し、（ａ）は正面図であり、（ｂ）は屋外側から視た側面図であり、（ｃ）は平面図である。
【図４】従来の取付具と竪樋とを示す斜視図である。
【発明を実施するための形態】
【００１１】
以下、本発明を添付図面に示す実施形態に基づいて説明する。本実施形態の取付具１は、図１に示されるように、上下に並べて配置される竪樋３同士を連結し、竪樋３を建物の外壁５に対して取り付ける取付具１である。なお、以下、取付具１の説明で用いる方向は、図１に示す取付具１を用いて竪樋３を外壁５に取り付けた状態を基準にするものであり、取付具１から見て建物側を後方、屋外側を前方とし、図１の図面に直交する方向を左右方向として説明する。
【００１２】
取付具１は、外壁５に固着される固着体４と、竪樋３同士を連結する竪樋継手２の二部材で構成されている。
【００１３】
まず、竪樋継手２について説明する。竪樋継手２は、図２（ａ）〜（ｃ）に示すように、竪樋３の断面形状に合致する円筒状の連結筒部２１を有している。連結筒部２１の上下方向の中間部外周面には、周方向の全長に亘る突条２２が形成されている。連結筒部２１の上端面は、突条２２と平行であり、連結筒部２１の下端面は、後方ほど上方に位置するように傾斜している。
【００１４】
竪樋継手２の突条２２の連結筒部２１の後面側に位置する後端部には、連結筒部２１の背面に沿う取付部２３が上下に突出している。取付部２３は、突条２２の後端部に結合された前板部２６と、前板部２６の左右両端部夫々から後方に突出した側板部２７と、両側板部２７の後端部に左右両端部夫々が結合する後板部２８とで囲まれる平面視矩形状の被差込孔２５からなる。前板部２６は、後面が連結筒部２１の背面に沿った曲面となっており、前板部２６の後面と連結筒部２１の背面とは、左右方向に亘って竪樋３の幅（外径と内径の差）と同じ幅だけ離れている。被差込孔２５の内部には、前後方向に弾性変形可能な係止部２４を備えており、この係止部２４は、上下方向を長手方向とし、左右方向を短手方向とする矩形板状の突片３０と、突片３０の上端部から後方に突出する爪部３１とからなる。爪部３１は、正面視略直角三角形状であり、下端部が最も後方に突出しており、上方ほど前後幅が短くなるように形成されている。係止部２４は、突片３０の下端部が底板部２９の上面の後端部に結合されている。この底板部２９は、前端部が前板部２６の下端部に結合されていて、左右両端部が両側板部２７の下端部の前半部分に結合されている。底板部２９の後端面と突片３０の後面とは略面一となっている。ここで、係止部２４の後端（爪部３１の後端）から後板部２８の前面までの前後幅をＬ１とし、係止部２４の突片３０の後面から後板部２８の前面までの前後幅をＬ２とすると、Ｌ１＜Ｌ２である。底板部２９の後端面と後板部２８の前面との間の前後幅はＬ２であり、被差込孔２５は、下方から視て、前後方向の開口幅がＬ２となる。
【００１５】
後板部２８は、その上下方向及び左右方向の中央部に前後に貫通する開口部３２を備えており、矩形枠状に形成されている。
【００１６】
竪樋継手２で竪樋３を連結するには、連結筒部２１の突条２２よりも上方の部分を上側の竪樋３の下端部内側に嵌め込み、連結筒部２１の突条２２より下方の部分を下側の竪樋３の上端部内側に嵌め込む。また、上側の竪樋３の下端部を、突条２２から上方に突出した取付部２３（前板部２６）と連結筒部２１の外周面との間に形成された溝に嵌め込み、下側の竪樋３の上端部を、突条２２から下方に突出した取付部２３（前板部２６）と連結筒部２１の外周面との間に形成された溝に嵌め込む。これによって、上下の竪樋３が竪樋継手２によって連結される。なお、このとき突条２２の外周面は、連結された竪樋３の外周面と略面一となる。
【００１７】
次に、固着体４について説明する。固着体４は、図３（ａ）に示すように、外壁５に固定される固着部１３と、固着部１３の下端部から前方に突出する突出部１４と、竪樋継手２に連結された竪樋３の長手方向に沿うように突出部１４の前端部から下方に突出する差込片１５とを有している。差込片１５は下端部（先端部）が自由端となる。ここで、差込片１５の前後幅をＬ３とする。
【００１８】
固着部１３は、図３（ｂ）に示すように、外壁５の屋外側の面に沿うよう縦長板状に形成されている。固着部１３には、挿入孔１２が形成されている。挿入孔１２には、固着部１３を外壁５に固着するための釘やビス等の固着具２０（図１参照）を挿通できるようになっている。
【００１９】
突出部１４は、上方から視て矩形板状に形成されている（図３（ｃ）参照）。差込片１５は、側面視矩形板状に形成されており（図３（ｂ）参照）、竪樋継手２の被差込孔２５に上方から差込自在となっている。差込片１５は、竪樋継手２の被差込孔２５よりも上下長さが長くなるよう形成されている。差込片１５には、前後に貫通する被係止部群１６が形成されている。被係止部群１６は、差込片１５に上下方向に多数（本実施形態では６つ）並べて形成した矩形状の被係止部１９からなる。被係止部１９は、係止部２４の爪部３１が挿入可能な上下長さ及び左右長さで形成されている。なお、最上部の被係止部１９の上端から突出部１４の下面までの上下長さは、被差込孔２５の上端から係止部２４（爪部３１）の上端までの上下長さと略同じ長さに形成されている。
【００２０】
上述した本実施形態の取付具１では、被差込孔２５は、固着体４の差込片１５が差し込み自在で、差込片１５が差し込まれた際、差込片１５の被係止部１９に被差込孔２５の係止部２４が係止されるよう形成されている。
【００２１】
詳しくは、本実施形態では、竪樋３の被差込孔２５の左右幅は、固着体４の差込片１５の左右幅と略同じに設定されている。そして、図２（ａ）と図３（ａ）に示す差込片１５と被差込孔２５の各前後幅Ｌ１〜Ｌ３に関して、Ｌ３がＬ１より若干長く、Ｌ２がＬ３と略同じか、Ｌ３より若干長くなるように設定されている。
【００２２】
そのため、本実施形態では、図１に示す被差込孔２５に差込片１５が差し込まれた状態で、被差込孔２５の係止部２４が差込片１５の１つの被係止部１９に係止され、竪樋継手２の固着体４に対する上下方向の位置が１つに決まる。このとき、被差込孔２５の係止部２４（爪部３１）の上下左右には、差込片１５の被係止部１９の孔縁部が位置する状態となる。なお、この状態では、上下方向に所定の力以上がかからない限りは、竪樋継手２と固着体４との位置関係が保持される。
【００２３】
上述した本実施形態の取付具１を用いた竪樋３の固定は例えば以下のように行われる。まず、固着体４の固着部１３を外壁５に沿わせ、この固着部１３の挿入孔１２に前方から通した釘やビスなどの固着具２０を外壁５に固着して、固着部１３を外壁５に取り付ける。
【００２４】
次に、固着体４の差込片１５を上下に竪樋３を連結した竪樋継手２の取付部２３に取り付ける。固着体４の差込片１５を竪樋継手２の取付部２３に取り付けるには、前述のように、固着体４の差込片１５の被係止部群１６のうち１つの被係止部１９に竪樋継手２の取付部２３の被差込孔２５の係止部２４を係止する。このようにすると、竪樋継手２の係止部２４が差込片１５の被係止部１９の孔縁部によって上下方向への移動が規制されて僅かな力では上下に移動しないように保持される。なおこのとき、取付部２３と突出部１４との間には間隙ができる（図１参照）。しかして、竪樋継手２及びこの上下に連結された竪樋３が外壁５に固着された固着体４に保持される。
【００２５】
なお、このように固着体４に竪樋継手２を取り付けた状態では、固着体４が竪樋継手２及びこの上下に連結された竪樋３の後方に配置される。すなわち、竪樋３によって固着体４の前方が覆われるため、外観が良い。
【００２６】
ここで、固着体４の被係止部１９は上下方向に複数並んで形成されている。このため、竪樋継手２に連結された上下の竪樋３が、気温の変化等により伸縮して竪樋継手２の上下位置が変わったとしても、竪樋継手２の係止部２４は、その上下方向に複数並んだ被係止部１９のいずれか１つに係止されるので、竪樋継手２は固着体４に保持された状態を維持することができる。したがって、固着体４から竪樋継手２が外れることを抑制できる。
【００２７】
なお、竪樋継手２の係止部２４は、竪樋３の伸縮によって上下方向に所定の力以上がかからない限り、そのとき係止されている被係止部１９から外れず、固着体４と竪樋継手２の上下方向の位置関係が保持される。そして、仮に、所定の力以上がかかった場合でも、竪樋継手２の係止部２４は、次の被係止部１９に係止され、またそこで、所定の力以上がかかるまで、固着体４と竪樋継手２の上下方向の位置関係が保持される。
【００２８】
なお、上述した実施形態では、固着体４は、固着部１３が差込片１５よりも上方に位置する形態で用いたが、固着体４の上下を逆にして、固着部１３が差込片１５よりも下方に位置する形態で用いてもかまわない。
【００２９】
以上まとめると、本実施形態の取付具１は、上下に並べて配置される竪樋３同士を連結する竪樋継手２と、建物の外壁５に固着され、竪樋継手２が取り付けられる固着体４と、を有する。固着体４は、竪樋継手２に連結された竪樋３の長手方向に沿って延設される差込片１５と、外壁５に固定される固着部１３とを有する。竪樋継手２は、差込片１５を上下方向に差込自在とする被差込孔２５と、被差込孔２５に設けられる係止部２４とを有する。差込片１５は、被差込孔２５に差し込まれた状態で係止部２４を係止する被係止部１９を上下方向に複数有する。
【００３０】
このように、本実施形態では、上下に並べて配置される竪樋３同士を連結した竪樋継手２の被差込孔２５に、建物の外壁５に固着した固着体４の差込片１５を差し込むことで、差込片１５の被係止部１９に被差込孔２５の係止部２４を係止させることができる。ここで、差込片１５は、被係止部１９を上下方向に複数有しているので、竪樋継手２に連結された竪樋３が気温の変化等により伸縮して、竪樋継手２の上下位置が変わったとしても、竪樋継手２の係止部２４は、その上下方向に複数並んだ被係止部１９のいずれか１つに係止される。よって、本実施形態の取付具１は、竪樋３が気温の変化等により上下に伸縮した場合でも、竪樋３を建物の外壁５に取り付けた状態を維持することができる。
【００３１】
以上、本発明を添付図面に示す実施形態に基づいて説明したが、本発明は上記の各実施形態に限定されず、本発明の意図する範囲内であれば、適宜の設計変更が可能である。
【符号の説明】
【００３２】
１      取付具
２      竪樋継手
３      竪樋
４      固着体
５      外壁
１３    固着部
１５    差込片
１９    被係止部
２４    係止部
２５    被差込孔
【図１】
2012197639.tif 000003
【図２】
2012197639.tif 000004
【図３】
2012197639.tif 000005
【図４】
2012197639.tif 000006